(57)【特許請求の範囲】
【請求項１】
基端側で連結された一対の腕部がその基端連結部付近を変形させることにより開閉するように形成されたクリップと、上記クリップの基端連結部付近に係合することにより上記腕部を閉じた状態に維持するクリップ閉じリングとがシースの先端付近に上記シースから離脱可能に配置され、上記クリップの基端連結部付近に係合していない状態の上記クリップ閉じリングを上記シースの基端側からの遠隔操作によって上記クリップの基端連結部付近に係合させる操作動作伝達部材が上記シース内に挿通配置された内視鏡用クリップ装置において、
上記クリップの一対の腕部を連結する基端連結部が四角張ったα状の形状に形成されていて、
上記クリップ閉じリングが上記クリップに係合した状態になったときにその係合が解けるのを阻止する逆止ストッパが、上記クリップ閉じリングの内周面の後端部を後方に向かってテーパ状に窄まった形状に形成した小径部により構成され、
上記クリップの四角張ったα状の基端連結部が弾性変形して潰れた状態で上記小径部を通過した位置で広がることにより、上記クリップが閉じ方向に動作すると共に、上記クリップの基端連結部の対角部分が上記クリップ閉じリングの小径部に外側から当接して、上記クリップ閉じリングと上記クリップとの係合が解け難い状態になることを特徴とする内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
内視鏡用クリップ装置は一般に、クリップの一対の腕部が基端側で連結されていて、その基端連結部付近を変形させることにより腕部が開閉するようになっている。
【０００３】
また、クリップの基端連結部付近に係合することによりクリップの腕部を閉じた状態に維持するクリップ閉じリングが設けられていて、そのクリップ閉じリングとクリップとがシースの先端付近にシースから離脱可能に配置されている。
【０００４】
そして、シース内に挿通配置された操作動作伝達部材をシースの基端側から操作することによって、クリップの基端連結部付近に係合していない状態のクリップ閉じリングをクリップの基端連結部付近に係合させて、患部粘膜等を挟み付ける状態にクリップを留置させることができるようになっている。
【０００５】
【発明が解決しようとする課題】
上述のように構成された従来の内視鏡用クリップ装置においては、クリップ閉じリングによって閉じられた状態の留置中のクリップに外力が加わると、クリップからクリップ閉じリングが外れ、その結果、クリップが粘膜から脱落してしまうことが珍しくなかった。
【０００６】
そこで本発明は、留置状態のクリップからクリップ閉じリングが外れ難くて、優れた留置性を得ることができる内視鏡用クリップ装置を提供することを目的とする。
【０００７】
【課題を解決するための手段】
上記の目的を達成するため、本発明の内視鏡用クリップ装置は、基端側で連結された一対の腕部がその基端連結部付近を変形させることにより開閉するように形成されたクリップと、クリップの基端連結部付近に係合することにより腕部を閉じた状態に維持するクリップ閉じリングとがシースの先端付近にシースから離脱可能に配置され、クリップの基端連結部付近に係合していない状態のクリップ閉じリングをシースの基端側からの遠隔操作によってクリップの基端連結部付近に係合させる操作動作伝達部材がシース内に挿通配置された内視鏡用クリップ装置において、クリップ閉じリングがクリップに係合した状態になったときにその係合が解けるのを阻止する逆止ストッパをクリップ閉じリングに形成したものである。
【０００８】
なお、逆止ストッパが、クリップ閉じリングの後端部の内周面に形成された小径部であり、クリップの基端連結部が弾性変形して潰れた状態で小径部を通過した位置で広がることにより、クリップ閉じリングとクリップとの係合が解け難い状態になるようにしてもよい。
【０００９】
【発明の実施の形態】
図面を参照して本発明の実施例を説明する。
図２は内視鏡用クリップ装置の全体構成を示しており、例えば四フッ化エチレン樹脂チューブ等からなる可撓性のシース１の先端部分にクリップ２が配置されている。
【００１０】
図２においては、クリップ２は基端部分がシース１の先端内に収容されていて、開いた状態の一対の腕部２ａとその各先端に内方に向かって突出形成された爪状部２ｂとが見えている。
【００１１】
シース１の基端に連結された操作部２０は、端部に指掛け２３ａが取り付けられた本体軸２３にスライダー２２がスライド自在に取り付けられ、シース１の基端筒状体２１が本体軸２３及びスライダー２２に対して独立してスライド自在に配置されて構成されている。
【００１２】
図３はシース１の先端部分を拡大して示しており、クリップ２は、例えばバネ用ステンレス鋼板等を曲げて一つながりに形成されていて、一対の腕部２ａの各先端部分から爪状部２ｂが内方に折れ曲がって突出形成されている。
【００１３】
一対の腕部２ａの基端側は、やや四角張ったα状に形成された基端連結部２ｃにより連結された構成になっており、基端連結部２ｃを変形させることによって腕部２ａが開閉する。この図においては、クリップ２がシース１の先端内に引き込まれることにより弾性変形して、腕部２ａが窄まった状態になっている。
【００１４】
そして、操作部２０に配置された前述のスライダー２２によって軸線方向に進退操作される操作ワイヤ３が軸線方向に進退自在にシース１の軸線位置に配置されていて、その先端には、クリップ２に対して係脱させることができるクリップ連結フック４が取り付けられている。
【００１５】
クリップ連結フック４には、側面が開放された円弧のスリット状の係合溝４ａがクリップ２の基端に係合するように形成されている。したがって、操作ワイヤ３をシース１の前方にやや大きく送り出すだけで操作ワイヤ３の送り出し部分が撓み、それと共にクリップ連結フック４が撓んでクリップ２との係合が外れる。
【００１６】
シース１の先端内には、クリップ２の基端連結部２ｃを変形させるための短筒状のクリップ閉じリング６が配置されている。クリップ閉じリング６の基端部分は、操作部２０の本体軸２３に連結された可撓性操作管７の先端部分に係脱自在に嵌め込まれており、クリップ２の基端連結部２ｃが、クリップ閉じリング６内に引き込まれることにより変形する。
【００１７】
クリップ閉じリング６の内周面は後端部付近を除いて一定の径であり、後端部付近だけが外方に向かってテーパ状に窄まった形状に形成されて、後端位置が小径部６ａになっている。
【００１８】
その結果、クリップ２の基端連結部２ｃが、弾性変形して潰れた状態でクリップ閉じリング６内を通過した後、図１に示されるように、小径部６ａを出た位置で広がることにより、小径部６ａが、クリップ閉じリング６とクリップ２との係合が解けるのを阻止する逆止ストッパになり、クリップ閉じリング６がクリップ２の基端連結部２ｃから極めて外れ難い状態になる。
【００１９】
このように構成された内視鏡用クリップ装置を使用する際には、図示されていない内視鏡の処置具挿通チャンネルにシース１を通し、図４に示されるように、クリップ２をシース１の先端から前方に突出させて一対の腕部２ａが開いた状態にする。
【００２０】
その状態で一対の腕部２ａの間に患部１００を位置させ、クリップ閉じリング６を操作部２０側から押し出すと、図１に示されるように、クリップ閉じリング６の先端がクリップ２の一対の腕部２ａを背側から押すのと同時に基端連結部２ｃを変形させ、それによって一対の腕部２ａが平行に閉じた状態になり、一対の腕部２ａが患部１００を挟み付けた状態になる。
【００２１】
そこで、クリップ連結フック４をクリップ２から外してシース１側の部材を手元側に引き去ることにより、図５に示されるように、クリップ２にクリップ閉じリング６が係合した状態で、クリップ２が患部１００の粘膜を挟み付けた状態に留置される。
【００２２】
この留置状態においては、クリップ２の基端連結部２ｃがクリップ閉じリング６の後端の小径部６ａから外方に頭を出して広がった状態になっており、クリップ閉じリング６がクリップ２から退避するのを阻止するので、外力が作用してもクリップ２に対するクリップ閉じリング６の係合が解けず、したがって、クリップ２が患部１００から簡単に脱落しない。
【００２３】
【発明の効果】
本発明によれば、クリップ閉じリングがクリップに係合した状態になると、逆止ストッパによりその係合が外れないように規制され、クリップが閉じた状態が保持されるので、留置中のクリップが外力等の作用によって患部から簡単に脱落せず、優れた留置性を得ることができる。
【図面の簡単な説明】
【図１】本発明の実施例の内視鏡用クリップ装置のクリップの開閉動作における閉状態を示す側面断面図である。
【図２】本発明の実施例の内視鏡用クリップ装置の全体構成を示す外観図である。
【図３】本発明の実施例の内視鏡用クリップ装置の先端部分の側面断面図である。
【図４】本発明の実施例の内視鏡用クリップ装置のクリップの開閉動作における開状態を示す側面断面図である。
【図５】本発明の実施例の内視鏡用クリップ装置のクリップの留置状態を示す側面断面図である。
【符号の説明】
１  シース
２  クリップ
２ａ  腕部
２ｃ  基端連結部
３  操作ワイヤ（操作動作伝達部材）
４  クリップ連結フック
６  クリップ閉じリング
６ａ  小径部（逆止ストッパ）
７  可撓性操作管（操作動作伝達部材）
２０  操作部
【図１】
0004836353.tif 000002
【図２】
0004836353.tif 000003
【図３】
0004836353.tif 000004
【図４】
0004836353.tif 000005
【図５】
0004836353.tif 000006